(57)【要約】      （修正有）【課題】ステンシルの開口部を通して基板上に粘性および／あるいはペースト状生成物の堆積を実施する方法とその装置を提供する。【解決手段】生成物用中空容器７はステンシルに向いている低開口部を備えている。容器の低開口部は、その長さが基板の大きさに調整され、その幅がスクリーン印刷の実施速度の関数であるように仕切られている。この仕切りは、シール部材１５、１６によって与えられ、好ましくは開口部の両側に容器の移動方向に関して交叉し、お互いに向き合い、ワイパー間の水平部に対して１２０°および１８０°間に傾斜する二個のワイパー１５を有し、ワイパーは容器の断面に対し交叉し、および横断している。【選択図】図２
2004203027.tif 000002
【特許請求の範囲】
【請求項１】
基板上方に配置されたステンシルの開口部を通して基板上に粘性生成物を堆積するための装置であって、
基板上に堆積する粘性生成物を収容するための空洞を有する容器で、その容器が第１及び第２の相対向する細長い面及びステンシルに向かって生成物が使用中圧力下で押圧されて通る開口部を有する下部表面を持つ容器；
容器の空洞内において可動であり、その中の生成物をそこから押出すにあたりその中の生成物に均一に圧力を与えるピストン；
容器の下部表面に容器の細長い面の１つに沿って装着した可撓ワイパーであって、そのワイパーは容器の下部表面に実質的に平行なある平面に対してある角度で内方へ傾斜し、且つ、生成物が容器において開口部を通って押圧される時、生成物がワイパーに向かって押圧され、それによりワイパーがステンシルに向かって押圧されるように、また装置がステンシルの上方を容器の細長い面に実質的に垂直な方向に移動する時、ステンシル上に残っている生成物の過剰量がワイパーの作用によってもち上げられて剥がされ且つ取り除かれて、ピストンの作用により容器の開口部を通して容器内に上昇させられ且つ下方に押し戻され、それにより生成物の過剰量は容器内で開口部の上下の区域で回転させられるもの、
を具備する装置。
【請求項２】
請求項１に記載の装置であって、
容器の下部表面に容器の各細長い面に沿って装着した第１及び第２の可撓ワイパーを備え、その装置において、各ワイパーは容器の下部表面に実質的に平行な平面に対してある角度で傾斜し、且つ生成物が容器において開口部を通って押圧される時、生成物はワイパーに向かって押圧され、それによりワイパーがステンシルに向かって押圧されるように、且つ、装置がステンシルの上方を容器の細長い面に実質的に垂直な方向のいずれかに移動する時、ステンシル上に残っている生成物の過剰量は第１及び第２のワイパーの１つによってもち上げられて剥がされ且つ取り除かれ、容器の開口部を通して容器内に押し上げられて、生成物の過剰量は容器内で開口部の上下の区域で回転撹拌されるように配置されている、
装置。
【請求項３】
ピストンが平らなヘッドを具える、請求項１又は２に記載の装置。
【請求項４】
横方向のシールを具えるために各ワイパーの端部に配置された第１及び第２のシール部材をさらに具える、請求項１から３のいずれかに記載の装置。
【請求項５】
各ワイパーは容器から取り外し可能な構成をもつ、請求項１から４のいずれかに記載の装置。
【請求項６】
容器の空洞の内壁は容器の下部表面に実質的に平行な平面に対して直交する、請求項１から５のいずれかに記載の装置。
【請求項７】
その容器に挿入可能な取換可能な可動式中間容器をさらに有する、請求項１から６のいずれかに記載の装置。
【請求項８】
中間容器が、基板上に堆積する粘性生成物を収容するための空洞を有し、その中に可動であるピストンを有する、請求項７に記載の装置。
【請求項９】
生成物が半田ペーストであり基板がプリント回路ボードである、請求項１から８のいずれかに記載の装置。
【請求項１０】
基板上方での位置決めのためのステンシルと組み合わせた、請求項１から９のいずれかに記載の装置。
【請求項１１】
基板上に配置されたステンシルの開口部を通して基板上に粘性生成物を堆積する方法であって、その方法が下記の各ステップを有するもの：
基板を準備すること、
基板上に開口部を有するステンシルを設けること、
基板上に堆積する粘性生成物を包含する空洞を有する容器であって、それが第１及び第２の相対向する細長い面、及びステンシルに向かって生成物が使用中押圧されて通る開口部を有する下部表面を持つ容器、及び容器の下部表面にその細長い面の１つに沿って装着された可撓ワイパーであって、そのワイパーが容器の下部表面に実質的に平行な平面に対してある角度で内方に傾斜しているワイパーである、を有する装置を設けること；
生成物がワイパーに向かって押圧され、それによりワイパーがステンシルに向かって押圧されるように、生成物を容器の空洞から押圧するため容器の空洞内の生成物に均一な圧力を与えること；及び
ステンシル上に残っている生成物の過剰量がワイパーの作用によりもち上げて剥がされ且つ取り除かれ、ピストンの作用により容器内の開口部を通って容器内に上昇させられ且つ下方に押し戻され、それにより生成物の過剰量は容器において開口部の上下の区域で回転させられるように、ステンシル上の装置を容器の細長い面に実質的に垂直な方向に移動させること。
【請求項１２】
装置が、容器の下部表面に容器の細長い面の各１つずつに沿って装着された第１及び第２の可撓ワイパーであって、各々が容器の下部表面に実質的に平行な平面に対してある角度で内方に傾斜しているワイパー、を有する請求項１１に記載の方法。
【請求項１３】
装置がステンシル上を往復的に移動する請求項１２に記載の方法。    
【請求項１４】
生成物の混合を果たすように、容器の空洞内の生成物に均一な圧力を与える間に、且つステンシル上の移動に先立って、装置を非穿孔板上を移動させるステップをさらに有する請求項１１から１３のいずれかに記載の方法。
【請求項１５】
装置が横方向のシールを具えるために各ワイパーの端部に配置された第１及び第２のシール部材をさらに有する、請求項１１から１４のいずれかに記載の方法。
【請求項１６】
各ワイパーが容器から取り外し可能な組み立て体を構成する、請求項１１から１５のいずれかに記載の方法。
【請求項１７】
容器の空洞の内壁は容器の下部表面に実質的に平行な平面に対して直交する、請求項１１から１６のいずれかに記載の方法。
【請求項１８】
装置がさらに、容器に挿入可能な取換可能な中間容器を有する、請求項１１から１７のいずれかに記載の方法。
【請求項１９】
中間容器が基板上に堆積する粘性生成物を収容するための空洞を有する、請求項１８に記載の方法。
【請求項２０】
生成物が半田ペーストであり基板がプリント回路ボードである、請求項１１から１９のいずれかに記載の方法。
【発明の詳細な説明】
【技術分野】
【０００１】
本発明は、ステンシルあるいはスクリーンの開口部を通して基板上に粘性(vicous)生成物の堆積を行う方法とその装置に関し、スクリーン印刷機に応用される。
【背景技術】
【０００２】
基板は、その上に電子部品が保持され、半田付けされるプリント回路でありうる。粘性生成物は、非伝導性あるいは伝導性接着あるいは半田ペーストあるいは他のシリコン系粘性生成物である。ステンシルは、従来のタイプ、すなわち網状あるいは金属ステンシルのものか、あるいは適用される生成物の堆積および供与を行う、ステンシルに関する本出願人のフランス特許No.94.08518の主題の種類のスクリーン印刷ステンシルである。
【０００３】
本発明の実施例は総て、プリント回路上の部品を半田付けすることによりカードを製造する電子工業に用いられるような、半田ペーストのスクリーン印刷による堆積の分野の中のものである。しかしながら、本発明は他の技術分野にも応用性がある。
【０００４】
半田ペーストは、不均質材料から成り、それらの成分は異なる密度を持つ。半田ペーストは金属材料と有機、あるいはフラックス材料から成る。金属部分の重量は使用する金属に従って密度８乃至１２であり、全重量の８５％から９０％を占め、容量（体積）的には略５０％を占めるに過ぎない。フラックスと呼ばれる有機材料は１、あるいは殆ど１の密度を持つ。
【０００５】
半田ペーストは、フラックス、あるいは有機材料と結合した金属性マイクロスフェアによって構成される。この粘性(viscous)フラックスは、流動剤、接着剤、および清浄剤を有し、下記のステップに従って行われるプリント回路上の部品組み立て方法に影響を及ぼす：
―半田ペースト接触面のスクリーン印刷により堆積すること、
―接着剤が部品を保持するペースト接触面に部品を配置すること、
―炉中で半田ペーストをリフロー(reflow)させ、金属性マイクロスフェアの凝結を起こすこと。
【０００６】
半田ペーストによって構成された合金の機能は、半田付けによって部品のピンとプリント回路間の電気的相互接続を確実にするのに必要、かつ厳密に十分な金属の供給を提供することである。ペースト中の有機材料は、半田付け操作の終了時点では消失しなければならない。しかしながら、一般に水あるいは溶剤で除去されなければならない残滓が残り、この作業は費用が高く、そして汚染を発生する。
【０００７】
残滓が少ないと思われる半田ペーストが、開発されてきた。これらのペーストでは有機部分は実質的に従来のものと容量的に同じ値であるが、好ましい異なる機能を与える要素が、異なる作用を持つ。低沸点を持つ軽溶剤が、適切な流動性を与えるために導入されている。これにより、これらの溶剤はより速く揮発し、リフローステップに先んじる余熱操作の段階で殆ど完全に揮発する。リフローステップの終期には、このようにしてこの機能に関連する僅かな残滓しか残らない。満足な接着能力を提供するために、上記の軽溶剤は、リフローステップにおいて揮発性、あるいは昇華性となる接着性樹脂と組み合わされる。
【０００８】
満足すべき金属間結合を得るために適し、かつそれに不可欠な表面準備用清浄剤は、この機能に結びつく残滓を低減するために、ペーストの全容積の非常に僅かな部分を占める。清浄化の全体的な効率は変化しないので、活性清浄化成分の体積効率は残滓の総量が減少するにつれて、同じ割合で増加しなければならない。
【０００９】
現行の半田ペーストの最小残滓総量についての本研究の結果は、一方では、ペースト中の活性成分の大きな希釈化に繋がり、他方では使用した追加溶剤の大きな揮発性に繋がる。従って、半田ペーストが基板に用いられた時、各堆積物の容積の総てのエレメンタルな点で活性成分の非常に均質な散布が得られることが必要である。もし、このことが達成されなければ、例えば清浄化の効力が同一でない、半田ペーストの隣接、あるいは非隣接堆積が生じることになる。ある点は残滓および清浄化の問題によって過剰活性化され、他の点は過小活性化され、そして得られた半田付けは低品質となる。
【００１０】
使用される追加溶剤の溶解度の高さが、電子カードの製造の過程でその蒸発と云う問題を生じる。堆積の現行モードで開放大気中で傾斜したワイパー（図１参照）によって生成物を引くことによってはこの現象は克服しえない。このことは、製造過程において半田ペーストの流動性の変化を生じ、その結果機械の制御パラメータが修正につながるか、あるいは極端な場合、非常に乾燥した状態になって、最早ステンシルの開口部をうまく通過しなくなった半田ペーストの交換という結果となる。
【００１１】
製造上の要求が例えば毎秒２０乃至５０ｍｍから毎秒２００ｍｍでの高速スクリーン印刷への変更を必要とする時には、別の要素がこの問題に加わる。このために、チキソトロピー添加物が導入され、他の溶剤と結合される。従って基礎溶剤の蒸発は堆積の可能な速度を変更する。例として、半田ペーストの容積からの１％の蒸発は流動性を完全に変え、スクリーン印刷を不可能ではないにしても非常に困難にする。
【００１２】
既知の技術による別の問題は、ワイパーシステムの損耗の制御である。摩擦によるワイパーの作動端部の漸進的な侵食は、ワイパーが交互に置き換わるので、交互の各擦り込みによるある量のマイクロスフェアの無制御、かつランダムな回復（レトリーバル）によって、使用したペーストの固有品質および堆積の固有品質を変化させる。実際、ワイパーは、ワイパーの消耗の結果、堆積の品質が貧弱になったのが分かった時にのみ交換される。
【００１３】
既知の技術において、下記の二つのワイパーが使用される：
−第１はゴム、あるいはポリウレタンタイプで、その硬度は一般に７０乃至９０ショアの間で変化する。このワイパーは、その低硬度とその柔軟性により良好な変形の利点を有し、良好なシールが作られる。それはステンシルの開口部上を通過する間、変形する不便さを持つ。ワイパーに平行な寸法が０.５ｍｍ以下の開口部に対してこのことは大きな問題ではない。開口部がこの値よりも大きな、ワイパーに平行な寸法を持つ時、堆積物は抉られる。堆積物が３ｍｍ以上の所では、堆積物は再び完全に引きはがされる。
【００１４】
−第２は金属タイプで、その利点は堆積物が抉られない剛性を維持することにあるが、その柔軟性にも拘わらずその硬度はステンシルに対する完全なシールが作られない。その硬度は時々ステンシルの硬度を超え、この故に擦り傷や半田マイクロスフェアの付着物を生じる。錫―鉛合金は鋼鉄製ワイパーよりも遥かに柔らかいので、金属ワイパーの過剰な圧力はまた錫―鉛スフェアの破砕を引起す。
【００１５】
今日までこれらの問題を除去する対策が見出されているとは思われない。
FORD MOTOR COMPANYによる国際出願の公開WO96/20088は、ステンシルの開口部を通して粘性生成物を圧縮することによりそれを散布する方法とその装置を請求している。この装置は、粘性生成物の充填を受け入れるリザーバを有し、圧力がリザーバ内の粘性材料に加えられる。これは導管を経由し散布ノズルへリンクされ、バッフル板については円錐形内部形状を有し、且つ垂直方向に若干傾斜し、相対する向きの二個のワイパーによって仕切られる矩形散布スリットを備えている。二個のワイパーはステンシルを圧迫し、ワイパー間の領域でそれ（ステンシル）と基板との接触を保つ。この装置の目的は高速スクリーン印刷の実施を行うことにある。
【００１６】
この特許によって開示された技術と手段は、上に記述された問題の解決を可能にしないだけでなく、また更にそれらを目立たせる。実際、粘性材料は、システムの必須部分であるリザーバ内に置かれなければならない。粘性材料は、リザーバの後にノズルに向かって圧力を受けて押し出される。Fordによるシステムは、特にリザーバから圧力室への経路の清浄化に関して欠点を有する。
【００１７】
更に、円錐形の内部形材、およびそれに設けられている理論的に圧力を伝達し、均等化するバッフル板は、その（ペーストの）不均質な性質、および金属部分とフラックス部分の密度の差と両立し難い、ペーストの積層の効果を持ち、この積層は部品を分離させ、およびこのようにして不均一な品質の堆積物を作るという重大な危険性を作り出す。更に、Fordによると、圧力室はステンシルを圧迫し、弾力性は、圧力室の生成物に与えられる圧力と無関係な圧力の効果、あるいはワイパーのスプリング作用の効果のいずれかを受けたワイパーによって得られる。
【特許文献１】国際公開第９６／２００８８号パンフレット
【発明の開示】
【発明が解決する課題・課題解決の手段・発明の効果】
【００１８】
本発明の種々の側面は特許請求の範囲１，４，３０，３１に述べられている。
本発明の実施例は、上記問題を解決するステンシル、あるいはスクリーンの開口部を通して基板上に粘性生成物の堆積を実施する方法とその装置を提供する。
【００１９】
更に、本発明の好ましい実施例は、スクリーン印刷機について、既存のスクリーン印刷機に実際上変更することなく直接適応し得、生成物を開放大気中で扱うことなく、生成物の交換を不要とし、且つ散布器を清浄化しなくてよい、粘性生成物を包含した、方法、およびその装置を提案する。
【００２０】
更に、以下の好ましい実施例の記述で述べられるように、本装置は、それが包含している粘性生成物が使用し尽くされた後放棄される消耗品散布器として使用することができ、供給者による未使用、あるいは不完全使用のペーストポットのリサイクルの問題に対する解決を与える。
【００２１】
一つの側面によれば、基板上に置かれたステンシル、あるいはスクリーンの開口部を通しての基板上への粘性生成物の堆積の方法は、本質的に次の事項で特徴付けられる。すなわち、
その上に前記容器が載るステンシルに向かう低開口部を備えた、収容器として働く中空容器内に粘性生成物が置かれ、前記容器はスクリーン印刷機に取り付けられ、
容器の低開口部は、その上に一つ以上の堆積物が作られる基板、あるいは基板の領域の大きさにその長さが適応されるように、仕切られており、
【００２２】
低開口部のこの仕切りはシール部材、および容器の移動方向に対して交叉する少なくとも一個の縦方向の可撓ワイパーを有するワイパー部材によって為され、前記ワイパーは開口部に向かう生成物の移動および生成物の吐出のレベルでそれが受ける圧力の方向に対して１２０°および１８０°の間の角度で交叉し、
圧力は容器内で生成物上に働き、および、圧力はそれ（生成物）を散布するためにステンシルに向かって、並びに、それ（生成物）をステンシルに圧迫（bear）しおよびこれ（ステンシル）を基板に圧迫（bear）するためにそれ（生成物）を押す（press）ことによって可撓ワイパー上に前記生成物を押圧（push）し、
この圧力と共に容器はステンシル上での移動動作を受ける。
【００２３】
低開口部の仕切りは、シール、および容器の移動方向に対して交叉するそれぞれ開放部の両側にある少なくとも二個の可撓ワイパーを有するワイパー部材によってなされ、各ワイパーは生成物に働く押力に対して横向けで、前記ワイパーは開口部に向かって一方が他方に向かって相対する向きにあり、および開口部の領域において水平方向に対して１２０°乃至１８０°間の傾斜を持っている。
【００２４】
本発明の別の実施例によれば、中空容器で働く圧力はピストンから散布開口部まで一定である。
本発明の別の実施例によれば、生成物はワイパーにステンシルおよび基板間のシールおよび接触部の形成に役立つ圧力を与える。
本発明の別の実施例によれば、生成物は開口部に到達する前に混合によって均質化される。
【００２５】
本発明の一つの実施例では、基板上に置かれたステンシルの開口部を通した基板上の粘性生成物の堆積用の装置は、本質的に若干の生成物を包含する容器によって構成され、生成物を含有するその空洞は、例えば堆積側での水平に対して１２０°乃至１８０°間の角度で相対する方向に向いているワイパーのようなシール部材によって仕切られ、開口部に向かって生成物を押圧するしながらその中でピストンが動く、平行なかつ直線で囲まれた壁を持つ。１８０°ワイパーの場合、その先端は面取りをされ、あるいはステンシルに向かって傾斜させられる。
【００２６】
本発明の別の実施例によれば、穿孔（パーフォレーテッド）された格子窓が開口部上の容器に置かれている。
本発明は粘性生成物を転送するのに特に適した方法、および装置を使用する、ということから明らかになる。
開口部を通して粘性生成物を転送するシステムの効力は、下記の係数によって特徴付けられる。
【００２７】
【数１】
2004203027.tif 000003
【００２８】
Tは、転送される生成物が開口部と接触している継続時間である。
PTは、転送される生成物が受ける圧力であり、VIは粘性である。
Kは、転送効力に比例する非ユニタリー値である。
値Kが大きくなると、生成物はより容易に転送される。
【発明を実施するための最良の形態】
【００２９】
好ましい実施例の以下の記述によると、本発明は上記の総ての条件を満足することが理解される。
本発明の利点と特徴は、それに限定されない例として与えられ、添付図面に図示される本発明の好ましい実施例に関する以下の記述を読むことにより明らかとなる。ここで、
【００３０】
図１は、ワイパー４によって、開口部３を設けたステンシル、あるいはスクリーン２を通して基板１の上に堆積物を作る実行方法を示す。適用される生成物は番号５で表示してある。
【００３１】
水平に対して６０°から４５°まで変化し得る角度で傾斜された標準ワイパーは、同時に数機能を果たす。
−それは、ステンシル上に堆積した生成物を引き出す。
−それは、ステンシルあるいはスクリーン内に開口部３を通してそれ（生成物）を転送する。
【００３２】
転送力は、もしワイパーの移動があればその時のみ、発揮される。この力はワイパーの全長に亘って一定ではない。それはワイパーの端部で最大になり、ワイパーの帯に沿って減少する。それ故転送の結果は、素早く変化することが知られている生成物の粘性、並びにワイパーの傾斜およびその動きに起因する転送力に直接関係する。
【００３３】
ワイパーおよびステンシル間の接触点で、ワイパーは三重の機能を果たす。
−シール（ステンシルの開口部に関して）の機能
−余剰生成物を除去するステンシルの擦り込み機能
−ステンシル２と基板１間の接触部の機能、但しワイパーの下流側および上流側間には接触部はない。
【００３４】
既知の技術では単一の道具であるワイパーがこれら総ての機能を果たすという事実は、不可能であり、これらの機能の各々に対して、独立した作用が必要である。その上、この既知の技術は欠点を持つ。開口部を通して散布される生成物は、常にステンシル上にその圧迫線上で接触部を確立するワイパーの下流側においてである。これ故、図１に示すように開口部の充填が始まると、その充填は常にステンシルが基板と接触していない領域においてされる。これ故、図１に示すように生成物はステンシルと基板間に押し出され、一方では基板上に望ましくない線を作り、他方ではステンシルを汚し、それはしばしば清浄化されなければならない。
【００３５】
しかしながら、生成物の実際の堆積中での不利な非接触部は、同図の３Ｂで示されるように堆積物を型から外すことを助ける利点を持つ。理想は、堆積時にはゼロに等しく、堆積後にはゼロよりも大きい非接触部を得ることである。
【００３６】
記述すべき本発明の実施例により、本質的な機能、すなわち粘性生成物の引き出し、転送、および過剰分の取り払いは分離され、一方他の機能、すなわち接触部および非接触部、シール、堆積物の量および生成物の流動性の変化あるいはその不均質な性質により提起される問題に、独創的な解決を与える。
【００３７】
ステンシル２、あるいはスクリーンの開口部を通して基板１上に粘性生成物の堆積物を作るための本発明の具体化方法は、中空容器内に多量の粘性生成物を包含することを必要とする。この中空容器、および後で述べるその部材および付属品は、多量の堆積すべき粘性生成物を入れた、工場から直接渡される使い捨てあるいはリサイクル型（工場充填用）収納器として設計されることが好ましい。この手順により、従来そこに入れられてそれが引き渡されてきたポットからの、大量の粘性生成物のヘラを使用した取り扱いが避けられる。装置は電子カードを製造するスクリーン印刷機に直接据え付けるように設計されているので、その装置が空になった時あるいは使用後のいずれかの時点でそれは取り外される。
【００３８】
本方法によれば、中空容器では圧力が粘性生成物に働き、粘性生成物は容器の低開口部に向かって押圧されステンシルに向かって導かれる。この開口部の長さは、その上に異なる堆積物が作られる基板の大きさか、あるいはその上に堆積物が作られる基板の領域の大きさに適応することが好ましい。実際開口部の幅は、ステンシル上の装置の移動の多少速い速度に対して、およびこのようにスクリーン印刷が行われる速度に関係して直接適合される。
【００３９】
高速印刷はペーストの流動性を変更するための添加物をペーストに添加することなしに得られる。
【００４０】
粘性（あるいはペースト状）生成物を包含する容器の低開口部は、シールおよびワイプ部材により仕切られる。容器内の生成物に働く圧力は、シールおよびワイプ部材によって前記容器への圧力をステンシルおよび基板に与えることに役立ち、そのことは下記するように、ステンシルおよび基板間の接触領域を作り、この領域はこの開口部を仕切るシール部材間の開口部に面しており、並びにシール部材に圧力を掛けおよび過剰生成物を取り払うことに役立つ。接触領域は、ステンシルの下部を汚すことなく、あるいは過剰分なしにステンシルの開口部を通して生成物の良好な転送をするのに役立つ。この接触領域は、装置と同時にステンシル上を移動し、非接触部がシールワイプ部材の通過後に上流に作られる。
【００４１】
以下に記述する方法に従えば、容器内で生成物に働く圧力は、散布開口部、およびステンシルとの接触部まで一定に保たれる。装置内のこの圧力は、生成物によって吐出開口部を仕切り、および生成物の下流への吐出の方向に交叉しているシールワイプ部材に働き、このことはシール機能を増加するのに役立つ。
【００４２】
以下に記述する方法に従えば、圧力が収納器内で働く生成物の表面はシール部材で仕切られる散布開口部よりも大きく、および圧力は生成物によって開口部の水準でステンシルに働き、並びに圧力は生成物によって、収納器の断面を部分的に交叉するシール部材に、および生成物の移動の下方向に対して働く。
【００４３】
その内部の壁が直線で囲まれ、および／あるいは平行である容器、あるいは収納器の空洞に働く圧力の大きさの均一性により、その成分の密度の差による生成物の成分の分離は避けられる。
【００４４】
本発明を具体化する方法は更に、生成物の活性成分の均質化の段階を持つ。この段階は下記の均質性部材と組み合わせて生成物に働く圧力の影響を受けて行われる。この均質化は、好ましくは容器それ自身、およびシール部材で仕切られる散布開口部間の領域で、等しい容積を持つ複数の部分に分割することにより得られる。以下に更に述べるように、容器が移動される時のワイパーの作用もまたこの均質化を助ける。
【００４５】
図２は、本方法を実施する装置の横断面図を示す。この図は、部分的横断面の図である図３、および縦断面図である図４によって補足される。
【００４６】
図２は、テーブルに載る基板１、開口部３を設けたステンシル、あるいはスクリーン２、および生成物用散布装置６を示す。散布装置は、その内壁が直線で囲まれかつ平行である容器７、あるいは収納器によって構成されている。その壁が垂直である容器７の内部空洞内に、例えば９で表示した半田ペーストのような生成物の充填が例えば工場で行われる。
【００４７】
ピストン１０は、容器の内部空洞に可動的に取り付けられている。ピストンはその表面は平面であるヘッド１１（図３）を持つ。それはその平面ヘッドの後方に垂直壁１２が設けられ、その垂直壁は容器の垂直壁に沿って滑動し、ピストンのガイドとして役立つ。垂直圧力は図３の矢印Ｆ１に従ってピストンの軸１３に働く。この垂直圧力は、圧力源によりピストンの軸１３、およびこの圧力を伝達することのできるスクリーン印刷機の部材に伝えられる。この圧力は、生成物９、生成物を包含する中空容器、および上部から底部まで同一断面を持つピストンに均一な状態で働く。
【００４８】
容器は、シール部材１５および１６および開口部１９で仕切られる散布開口部１４によって底部に向かって開放している。容器の基礎部分に不均質性成分を持つペースト状、および粘性生成物を分割して均質化する横断部材１７が配置されている。この部材は、穿孔された格子窓あるいは穿孔された壁によって構成され、その穿孔は図７に示すように総て同じ大きさであり、一定の間隔およびピッチで作られている。格子窓の穿孔１８は、円形であることが好ましい。格子窓は生成物を容器の空洞内に保持することと、ステンシルに押しつけられる装置のピストンの押力を伝達することと、の両機能を果たす。
【００４９】
格子窓の下部には、生成物を吐出するための開口部１９（図３）を仕切るシール部材が配置されている。開口部１９は、図３に示すように容器よりも寸法的に小さい。シール部材１５は本発明を具体化する装置と共に図２および３に、およびそれ自身は図８に示されている。シール部材１６は装置の長手軸方向の断面図である図４に示される。
【００５０】
部材１５は、部分１５Ａによって容器の壁に固定されたワイパーであり、その部分１５Ｂは容器の低部断面に、およびピストンの圧力下で生成物の下降方向に対し横向きになっている。ワイパーは互いに相対して取り付けられており、その傾斜部分１５Ｂは相対して向き合っている。その部分１５Ｂの傾斜は垂直よりも大きく、傾斜に続くステンシルへの生成物の散布領域の水平部に対して１２０°および１８０°の間である（図３）。ワイパーが１８０°傾斜している場合、その端部は面取りをされ、あるいは傾斜させられる。生成物が開口部１９の水準で吐出される領域外でのワイパーと基板、あるいはステンシルによって形成される角度は、先に説明した角度と相補的な値である。
【００５１】
ワイパー１５は金属、または合成材料等、いかなる適当な材料でも良く、それらは弾性限界を超えて変形しない硬い可撓性材料でなければならない。これまで記述してきたようなワイパーが装置の長手側に配置され、ステンシルおよび基板上を横断的に進行することが好都合である。各ワイパー１５は、取り外しによりステンシル内に残る過剰な生成物を取り除き持ち上げる機能を持つ。この機能は生成物がワイパーによって押圧される図１による取り除きよりも効率的である。
【００５２】
直六面体の形状を持つ装置の横手側あるいは短手側は、前述のシールを提供するワイパーが設けられるか、あるいは図４に示されるようなシール部材１６が設けられ、その断面は可撓性材料によるか、あるいは断面が例えば中空かあるいは独立気泡フォームで作られて構成される弾性的に変形可能な断面で構成される。シール部材１６の本質的な機能は、図２−５に示すようにクリープによる生成物の流出を避けることを意図した横方向シールの機能である。
【００５３】
装置は可撓性材料の１５のような唯一個のワイパーを備え、開口部の他の端部は１６のようなシール部材を備えている、ということが有利と考えられる。この場合、装置は一方向のみに機能する。
【００５４】
（矢印Ｆ１、あるいは軸１３にて示す）圧力は半田ペーストを構成しているペースト状、および／あるいは粘性生成物に圧力を与える。この圧力と共に矢印Ｆ２に従った、あるいは反対方向への移動動作が、装置にステンシル、あるいは基板の表面を通過させるため装置に与えられる。容器内のピストンの垂直圧力は、格子窓１７（図５には示していないが）を通し、低開口部１９を通しステンシルおよび基板に向けて、およびシール部材１５にペースト状材料を押圧し、そのことはシール部材を加圧状態に保ち、装置と共に移動することにより過剰生成物を取り払うために役立つ。
【００５５】
上に規定したようなステンシルに対する僅かなワイパーの傾斜は、格子窓１７およびワイパーの縁によって仕切られる領域内に残る過剰生成物を引き離し、および取り除くのに役立つ。ワイパー１５は相対する方向に配置されているので、取り払い機能は装置がどの方向に移動しても行われる。
【００５６】
格子窓１７は、それを分割することにより、ペーストあるいは半田ペーストの均質化要素として機能し、そこにおいてペーストは別々の紐状あるいは小棒状となって格子窓から離れ、それらの断面は格子窓の各穿孔の断面に対応しており、前記の紐あるいは小棒は、ステンシルあるいはスクリーン上で擦り込むことにより再集塊する。格子窓の開孔面積は格子窓の全表面の２０％乃至９０％である。
【００５７】
低散布開口部１９は、希望する用途の速度、および／あるいは堆積する生成物の粘着に適合する寸法をもつことができる。本発明は、非常な高粘性生成物にも、非常な低粘性生成物にも適用し得る。開口部１９の適応は本質的にその幅、すなわち、この目的のために例えばもし収納器装置、およびその内部容器が与えられた一定断面を持つならば、交換可能であるワイパー１５の縁１５Ｂ間の距離に関係する。種々の装置が、ある流動性に適応される場合には、断面積（容器およびピストンの幅）が異なり、縁１５Ｂ間の開口部１９が多少大きいことで、断面積（容器およびピストンの幅）が異なっていて多少大きく、縁１５Ｂ間の開口部１９が多少大きいと云うことを考えることも可能である。装置の長さは上に説明したように、開口部１９の長さが基板、および／あるいはステンシルの全幅、あるいは堆積物が作られる領域の全幅をカバーするような長さである。
【００５８】
堆積物がピストンに圧力を加えながら装置を移動することにより作られ、開口部１９の寸法によって決定される生成物の接触表面が大きいので、容器散布装置をステンシルから取り去ることは考えられない。
【００５９】
本発明の実施例に従えば、この取り外しは、一方ではワイパーと生成物間に、他方ではワイパーとステンシル間に仕切り壁を挟むことによって得られる生成物の塊を取り外すことによって行われる。図６に示すように容器は少なくとも一個の側壁２０を設けることが好都合である。この側壁２０は、開口部１９の区域の外側、あるいはその下に側壁を取り付ける適当な部材によって動かされる。この側壁２０は刃として作用する可撓性で剛体、あるいは半剛体の側壁であることが好ましい。図６に示された実施例では、側壁２０は点線で示されるような位置を占めるために連接した可動式フラップ２１で運ばれる。フラップは容器の外面に連接し、それは装置の移動の間、上部位置に置かれることが好ましい。装置は外部の前面および後面の各々で連接される二個の側壁２０および二個のフラップ２１を有することが好ましい。
【００６０】
格子窓は、例えばそれが与えられる開孔表面の割合に従って取り外し、および／あるいは交換し得る。
【００６１】
図９は、格子窓１７および縁１５が、支持具２２に取り付けられている装置の実施例の横断面図を示し、この支持具は容器の下部で取り外され、格子窓および／あるいはワイパーの取り付け取り外し、および格子窓およびワイパー組み立ての一方あるいは他方の交換を可能にするように固定することができる。
【００６２】
本発明を具体化する散布容器装置６はステンシルおよび基板との接触によりシールされた仕方で機能するように設計されている。このシールにより例えばシリコンズのような湿度に鋭敏な生成物が吐出される。
【００６３】
開口部１９は使用に先立って、格子窓に貼り付けられ、剥離され、あるいは引き剥がされるカバー（図示せず）により覆われる。
【００６４】
図１０は、中間生成物容器を持つペースト状、あるいは粘性生成物の堆積用装置の実施例の縦断面図を示す
【００６５】
。
生成物９は、容器の空洞に導入される滑動カバー２４により上部が閉鎖される中間容器２３に入れられ、ピストン１０は、滑動カバーを圧迫することによりこの中間容器内の生成物を押圧する。その中間容器は、生成物製造者により工場で直接充填される。
【００６６】
図１２に示される中間容器は、装置の容器の内部空洞のそれと対応する形状を持つ。これらの壁は垂直であり、上部および底部に開口部を持つ。これらの開口部は、既知の手段で充填後工場で覆われ、そして据付の時にカバーが外される。
【００６７】
好都合には、中間容器には装置のハウジング内にそれを固定する手段が設けられており、その固定手段は好ましくは中間容器上端の周辺の全面に亘る、あるいは部分的な肩部２５である。この中間容器は、円滑な直線に囲まれた内壁を持つ。それは使い捨て、あるいはリサイクルカートリッジとして設計される。カバー２４は、ペースト状生成物の上に載る。図１１に示されたカバー２４は、ペースト状生成物を押圧するピストンの圧力下で容器中で滑動できるように、容器の開口部よりも僅かに小さい寸法の平面である。
【００６８】
この改良の重要性は、それが装置の製造を簡素化し、そのコストを下げ、およびそれが使用に先立つペースト状、あるいは粘性生成物、および／あるいはその混合、あるいは加熱の取り扱いを容易にし、また装着を容易にすることにある。
【００６９】
本発明の別の実施例によれば、中間容器２３は、それを受け入れる装置の諸機能を統合できる。特にそれは低開口部の水準において透かし細工の格子窓１７が設けられ、その開口部は、その縁が相対する方向にあるシール部材１５で仕切られる。その構造は生産を容易にする。格子窓および縁は、中間容器と共に成形される。
【００７０】
図１３は、機械に装着する前に使用される、本発明を具体化する容器に適した生成物混合装置を示す。それは、開口部の下にステンシルに代えて好ましくは剛体の平面２６を有する。装置は例えば、図示していないがレール手段、あるいは他の機械的手段により平面に平行に導かれる。圧力は、ピストン１０と同じタイプで良く、格子窓１７を通して通過する生成物９を圧迫するピストン２７により与えられる。
【００７１】
前進、すなわち左から右への動作は、格子窓の開口部を通過する時点において、時計廻りの方向への推進、ペーストの回転およびその攪拌およびその均質化を生じる。後進、すなわち右から左への動作は、回転およびペーストの均質化の動作の、反対の方向への変更を生じる。数回の前進―後進動作は、図中の矢印で示されるように半田ペーストの混合を与え、ワイパーはペーストを持ち上げ、その結果ペーストは格子窓を通して上方に通過し、ピストンによって格子窓を通して下方に押し戻される。このことは、新カートリッジ、あるいはまだ少々の量の生成物を含み、中断時間の後再使用される１つ又は複数の新カートリッジについても、その使用の最初からその適用に適した流動質をペーストに与える。勿論ペーストのこの回転および均質化は、また印刷操作中の装置６の移動の間も行われる。
【００７２】
本発明を具体化する装置は、高作用圧力を必要としない。
それはシールされた収納器として設計されているので、本発明を具体化する装置は、先行技術による装置の清浄化操作を排除し、生成物と直接接触する必要のない、使用者に対して健康的で安全な基準を果たす。
【００７３】
適用の基準、および／あるいは堆積される生成物の性質により、先行技術での場合にあったような、機械全体に対する防護、あるいは環境作りを提供することを必要とせず、本発明を具体化する散布装置は防護され、および／あるいは加熱用、あるいは冷却用のサーモスタットが設けられる。
【００７４】
本発明の各種の好ましい実施例を以上に記載したが、多くの変更および修正は、本発明の範囲から外れることなくなされるということは当然認識される。
【００７５】
本発明はステンシルを通して基板上へ粘性生成物を堆積する装置に適用して有用である。
【図面の簡単な説明】
【００７６】
【図１】先行技術に従ったスクリーン印刷による粘性生成物の堆積操作を模式的に示す。
【図２】本発明を具体化する装置の横断面図である。
【図３】図２に従った装置の横断面図である。
【図４】図２に従った装置の縦断面図である。
【図５】横断面図において装置内およびステンシルおよび基板上に働く圧力を示す。
【図６】装置が除去されるための装置とステンシル間の分離手段を示す。
【図７】均質化格子窓を示す。
【図８】ワイパーを示す。
【図９】本発明に従った装置の別の実施例の横断面図を示す。
【図１０】本発明を具体化する中間容器を持つペーストあるいは粘性生成物の堆積用装置の縦断面図である。
【図１１】カバーを付けた中間容器の透視図である。
【図１２】図１０に従った装置の横断面図である。
【図１３】本発明の実施例の生成物を混合する装置である。
【図１】
2004203027.tif 000004
【図２】
2004203027.tif 000005
【図３】
2004203027.tif 000006
【図４】
2004203027.tif 000007
【図５】
2004203027.tif 000008
【図６】
2004203027.tif 000009
【図７】
2004203027.tif 000010
【図８】
2004203027.tif 000011
【図９】
2004203027.tif 000012
【図１０】
2004203027.tif 000013
【図１１】
2004203027.tif 000014
【図１２】
2004203027.tif 000015
【図１３】
2004203027.tif 000016